(57)【要約】  呼吸回路又は麻酔送達回路に沿って配置されるように構成された吸入された麻酔を解除する装置は、それを通過するガスから１種又は複数種の麻酔薬を除去するための濾過部と、個体によって吸入されるガス中のＣＯ2レベルを上昇させるための構成部品とを備える。この装置は、呼吸回路のＹ字状接続具と呼吸回路の個体に連結される部分との間に配置されるように構成される。このＣＯ2レベル上昇要素は、個体のＰaＣＯ2レベルを著しく低下させずに、したがって個体の脳内の血流量を低下させずに、個体の換気の増加を促進する。この装置は、ＣＯ2量が増大されたガスを個体に吸入させ、こうしたガスから麻酔薬を濾過しながら、麻酔状態にある個体の呼吸数を増加させる。
2007521054.tif 000002
【特許請求の範囲】
【請求項１】
吸入された麻酔からの患者の覚醒を促進する装置であって、
前記患者の肺から脳内へと流れる血液中の麻酔薬濃度を低減させる手段と、
前記患者の脳内の血流を増加させる手段と、
以前に吐き出された麻酔薬を前記患者が吸入するのを防ぐ手段とを備える装置。
【請求項２】
前記血流を増加させる手段が、前記患者によって吸入される二酸化炭素の量を制御する手段を含む、請求項１に記載の装置。
【請求項３】
吸入された麻酔からの患者の覚醒を促進する装置であって、
前記患者の換気（ベンチレーション）を増加させる手段と、
前記患者に少なくとも大気中の二酸化炭素の量を含むガスを吸入させる手段と、
以前に吐き出された麻酔薬を前記患者が吸入するのを防ぐ手段とを備える装置。
【請求項４】
前記吸入させる手段が、前記患者によって吸入される二酸化炭素の量を制御する手段を含む、請求項３に記載の装置。
【請求項５】
前記制御する手段が、二酸化炭素濃度が固定された空気又はガス混合物を前記患者に吸入させる手段を含む、請求項２又は４に記載の装置。
【請求項６】
前記制御する手段が、正常な量を上回る二酸化炭素を含む空気又はガス混合物を前記患者に吸入させる手段を含む、請求項２又は４に記載の装置。
【請求項７】
前記制御する手段が、以前に吐き出されたガスを前記患者に再呼吸させる手段を含む、請求項６に記載の装置。
【請求項８】
前記再呼吸させる手段が、前記以前に吐き出されたガスの体積を調整する手段を含む、請求項７に記載の装置。
【請求項９】
前記調整する手段が、前記再呼吸させる手段と連通する空間から前記以前に吐き出されたガスの一部が流出することを可能にする手段を含む、請求項８に記載の装置。
【請求項１０】
前記再呼吸させる手段が、前記以前に吐き出されたガス中の二酸化炭素量を調整する手段を含む、請求項７に記載の装置。
【請求項１１】
前記調整する手段が、前記以前に吐き出されたガスの一部から二酸化炭素を除去する手段を含む、請求項１０に記載の装置。
【請求項１２】
前記調整する手段が、前記再呼吸させる手段と連通する空間内に流入する新鮮なガスの流量を制御する手段を含む、請求項８乃至１１の何れか一項に記載の装置。
【請求項１３】
前記吸入させる手段が、実質的に麻酔薬を含まない空気又はガス混合物を前記患者に吸入させる手段を含む、請求項６乃至１２の何れか一項に記載の装置。
【請求項１４】
前記防止する手段が、前記以前吐き出されたガスから麻酔薬の少なくとも一部を除去する手段を含む、請求項６乃至１３の何れか一項に記載の装置。
【請求項１５】
前記除去する手段が、前記以前に吐き出されたガスから実質的にすべての麻酔薬を除去する手段を含む、請求項１４に記載の装置。
【請求項１６】
前記除去する手段が、前記以前に吐き出されたガスを濾過する手段を備える、請求項１４又は１５に記載の装置。
【請求項１７】
前記患者が病原体を吸入することを防ぐ手段をさらに含む、請求項１乃至１６の何れか一項に記載の装置。
【請求項１８】
吸入された麻酔からの患者の覚醒を促進するシステムであって、
前記患者によって吐き出されたガスから麻酔剤を少なくとも部分的に除去する濾過部と、
正常量を上回るＣＯ2を含むガスを前記患者に吸入させるＣＯ2レベル上昇用構成部品とを備えるシステム。
【請求項１９】
前記ＣＯ2レベル上昇用構成部品が、少なくとも以前に吐き出されたガスを前記患者に吸入させるための再呼吸構成部品を備える、請求項１８に記載のシステム。
【請求項２０】
前記再呼吸構成部品が、前記濾過部を通過した、以前に吐き出されたガスの少なくとも一部を前記患者に吸入させるように構成される、請求項１９に記載のシステム。
【請求項２１】
前記再呼吸構成部品が、前記患者による部分的な再呼吸を促進するように構成される、請求項１９又は請求項２０に記載のシステム。
【請求項２２】
前記再呼吸構成部品が、前記患者による全体的な再呼吸を促進するように構成される、請求項１９又は請求項２０に記載のシステム。
【請求項２３】
前記再呼吸構成部品が、呼吸回路のＹ字状部品と前記濾過部との間に配置された、所定の長さの導管を含む、請求項１９乃至２２の何れか一項に記載のシステム。
【請求項２４】
前記長さの導管の少なくとも一部分が体積調整可能である、請求項２３に記載のシステム。
【請求項２５】
前記再呼吸構成部品が、２つの端部を備える所定の長さの導管を含み、前記２つの端部がそれぞれ前記濾過部と連通する、請求項１９乃至２２の何れか一項に記載のシステム。
【請求項２６】
前記長さの導管の少なくとも一部分が体積調整可能である、請求項２５に記載のシステム。
【請求項２７】
前記再呼吸構成部品が、前記濾過部の本体内部に、当該濾過部の濾過要素の前記患者に対して遠位側に配置されたデッドスペース空間を含む、請求項１９乃至２６の何れか一項に記載のシステム。
【請求項２８】
前記デッドスペース空間が少なくとも部分的に前記本体によって画定される、請求項２７に記載のシステム。
【請求項２９】
前記デッドスペース空間が調整されるように構成される、請求項２７又は２８に記載のシステム。
【請求項３０】
前記再呼吸構成部品が、
前記濾過部が沿って配置される呼吸回路の吸気肢部と呼気肢部との間に配置されたシャントラインと、
前記シャントラインに沿って配置され、当該シャントラインを通るガスの流れを制御するための弁とを備える、請求項２５乃至２９の何れか一項に記載のシステム。
【請求項３１】
前記再呼吸構成部品が、前記濾過部が沿って配置される呼吸システムの少なくとも一部分を含む、請求項２５乃至２９の何れか一項に記載のシステム。
【請求項３２】
吐き出されたガスの少なくとも一部を、前記再呼吸構成部品及び前記濾過部のうち少なくとも一方に対して、選択的に流入させるか又は流出させる弁をさらに備える、請求項３１に記載のシステム。
【請求項３３】
少なくとも前記濾過部が連通する、循環式回路及びベイン回路のうちの一方をさらに備える、、請求項１８乃至３２の何れか一項に記載のシステム。
【請求項３４】
吐き出されたガスの少なくとも一部を、前記循環式回路又は前記ベイン回路から前記濾過部へと選択的に流すための、あるいは前記ＣＯ2レベル上昇用構成部品と前記循環式回路又は前記ベイン回路との間を連通させるための、弁をさらに含む、請求項３３に記載のシステム。
【請求項３５】
前記再呼吸構成部品が、
取り外し可能な二酸化炭素吸着装置と、
吐き出されたガスに前記麻酔呼吸回路の二酸化炭素吸着装置を迂回させるためのバイパス導管及びそれに連結された弁と、
の少なくとも一つを有する麻酔呼吸回路を備える、請求項１８乃至３４の何れか一項に記載のシステム。
【請求項３６】
前記弁が、前記患者によって吐き出されたガスの少なくとも一部を、前記濾過部内に導入させるか、又は前記ＣＯ2レベル上昇用構成部品と前記麻酔呼吸回路とを連通させるかするように構成される、請求項３５に記載のシステム。
【請求項３７】
前記ＣＯ2レベル上昇用構成部品が、ＣＯ2注入要素を含む、請求項１８乃至３６の何れか一項に記載のシステム。
【請求項３８】
前記濾過部が、前記患者によって吐き出されたガスから麻酔を実質的に除去するように構成される、請求項１８乃至３７に記載のシステム。
【請求項３９】
前記濾過部が、周囲に漏出する麻酔のレベルを低減させるように構成される、請求項３８に記載のシステム。
【請求項４０】
前記濾過部が、前記吸入された麻酔の少なくとも一部のための吸着剤を含む、請求項１８乃至３９の何れか一項に記載のシステム。
【請求項４１】
前記濾過部が、活性炭、結晶性シリカ、脂質性吸収剤、及び圧縮物生成要素のうち少なくとも１つを含む、請求項１８乃至４０の何れか一項に記載のシステム。
【請求項４２】
前記濾過部が、前記患者によって吐き出されたガス中の二酸化炭素及び酸素のうち少なくとも一方の量を実質的に低減させない、請求項１８乃至４１の何れか一項に記載のシステム。
【請求項４３】
前記濾過部がさらに、前記患者によって吸入されるガスから病原体を除去するように構成される、請求項１８乃至４２の何れか一項に記載のシステム。
【発明の詳細な説明】
【技術分野】
【０００１】
本発明は、一般に、吸入全身麻酔薬の作用を解除する装置及び技術に関する。より詳細には、本発明は、吸入全身麻酔薬の作用を解除するために、換気装置、再呼吸装置、及び任意選択で呼吸モニタ装置を互いに組み合わせて使用することに関する。
【背景技術】
【０００２】
全身麻酔はしばしば、外科手術の実施中に個体に施される。一般的に、全身麻酔を受ける個体は、呼吸回路を経由してベンチレータ（人工呼吸器）に「つながれる」。個体の呼吸、麻酔、及び、場合によっては個体の血液ガス及び血流の監視を簡単にするために、１つ又は複数のセンサを呼吸回路に接続することができる。一般的に、１種又は複数種の麻酔薬が呼吸回路を通して個体に投与される。
【０００３】
麻酔を患者に施す間に使用される呼吸回路の例として、当技術分野では「循環式回路」とも呼ばれる循環式呼吸回路、及び本明細書では便宜上「ベイン回路」と呼ぶメープルソン又はベイン式呼吸回路が挙げられる。
【０００４】
循環式回路は通常、成人患者に用いられる。循環式回路の呼吸回路における呼気肢部と吸気肢部とは互いに連通し、その間にソーダライム缶などの二酸化炭素除去装置が配置される。呼気肢部と吸気肢部が互いに連通しているので、循環式回路は一般に、吐き出された直後のＣＯ2濃度の高いガスを患者が吸い込むのを防ぐために、２組以上の一方弁を備える。
【０００５】
ベイン回路は通常、小柄な患者（例えば子供）に使用される。ベイン回路は、直線状の管を備え、その内部を呼気と吸気の両方が流れる。通常、患者との境界面に向かって新鮮な空気が送られて、吐き出された直後のガスを患者が再び吸い込む前にそこから除去する。患者の呼吸の流れよりも、新鮮な空気の流れの方が強い限り、再呼吸はほとんど又は全く行われない。
【０００６】
全身麻酔が個体に施されるときは、使用される麻酔薬のタイプに応じて低濃度で、通常は約１％から約５％の濃度に希釈された呼吸された麻酔薬又は吸入された麻酔薬が患者に与えられる。全身麻酔薬を個体が吸入すると、麻酔薬は肺の内部へと送られ、そこで血流に入り、血液によって他の様々な体組織へと運搬される。麻酔薬の濃度が脳内で十分なレベル又は閾値に達すると、個体は麻酔状態となる。このレベルは、その個体のサイズや体重を含めた個体に特有の様々な要因によって変わる。個体の脳内の麻酔薬濃度が閾値以上に保たれている限り、個体の麻酔状態は維持される。
【０００７】
全身麻酔の対象となる処置、通常は手術が完了した後は、一般に、全身麻酔薬の作用を可能な限り早く解除することが望ましい。全身麻酔の作用が解除されると外科チームが手術室を退出することが可能になり、これによって後続の手術のために外科チームが解放され、場合によっては手術のコストが低減される。また、麻酔医が他の患者に向かうことができ、使用される一般的に高価な麻酔薬が節約される。さらに、安全上の理由から、個体が全身麻酔下におかれる時間が最小限になることが望ましい。麻酔を迅速に解除することの他の利点として、高齢患者の手術直後の認知機能が高まり、患者が気道をより迅速に確保することが可能になることが挙げられる。
【０００８】
全身麻酔状態を解除又は中断するには、脳内の麻酔薬のレベルを閾値未満に減少させ、又は個体の脳内の麻酔薬をなくす必要がある。
活性炭及びその他の物質を用いて、ガス状の麻酔薬を選択的に吸収できることが久しく以前から知られてきた。すなわち、活性炭は、Ｐｓａｒｏｓらの米国特許第５，４７１，９７９号に記載されるものなど、麻酔薬が呼吸回路から漏れて手術室に入るのを防ぐ吸着装置で従来から使用されてきた。この点に関連して、活性炭吸着装置は、一般に麻酔送達システムの排気流内に配置される。手術室内に排気される麻酔ガスの潜在的に有害な作用がそれによって防止される。さらに、ハロカーボン麻酔薬は大気汚染物質であると考えられているため、ガス状の麻酔薬が大気中に放出された場合に生じる汚染が、従来の麻酔薬吸着装置の炭又はその他の吸着剤によって防止される。
【０００９】
Ｗｅｓｔｅｎｓｋｏｗらの米国特許第５，０９４，２３５号（以下「Ｗｅｓｔｅｎｓｋｏｗ」）には、ガス状態の麻酔薬を呼吸回路から除去することを促進するために活性炭を使用することが記載されている。こうした技術は、以前に吐き出された麻酔薬を再吸入するのを防ぐのに役立つが、個体の脳から麻酔薬を取り除く速度を高めるために、さらにできることがあるはずである。
【００１０】
一般に、脳内の血流量、ならびに個体の呼吸数及び呼吸気量が、当該レベルの麻酔薬が個体の脳から取り除かれる速度を決定する主な要因である。血液は麻酔薬を脳から肺へと運搬するので、脳内の血流量は決定要因である。呼吸数及び呼吸気量は、麻酔薬が血液から取り除かれ肺を通じて体外へと送り出される速度を増加するので重要である。
【００１１】
個体の呼吸気量及び／又は呼吸数を増加させ、それによって個体の肺からの麻酔薬除去を促進するために、過換気が利用されてきた。しかし、一般に、過換気によって個体の血中の二酸化炭素（ＣＯ2）レベル（ＰaＣＯ2）が低下する。ＰaＣＯ2レベルが低下すると、脳は肺に自発的に呼吸するよう命令する信号を送りにくくなり、患者は人口呼吸器からの換気に依存したままになる。Ｒｅａｍｅｒの米国特許第５，３２０，０９３号（以下Ｒａｅｍｅｒ）を参照されたい。さらに、過換気の結果ＰaＣＯ2レベルが低下すると、それに対応して脳内血流量が低下し、それによって血液が脳から麻酔薬を運び去る速度が実質的に低下することが知られている。
【００１２】
このような過換気中のＰaＣＯ2レベルの大幅な低下を防ぐために、以前に吐き出されたＣＯ2濃度の高い空気を個体が「再び吸い込む」再呼吸プロセスが利用されてきた。しかし、従来このようなプロセスを実施するために使用されてきた装置は、吐き出された空気を個体が再呼吸する前に、麻酔薬をこの空気から濾過によって除去しない。したがって、患者はその前に吐き出された麻酔薬も再呼吸し、それによって実際上全身麻酔の解除プロセスが長引くことになる。
【００１３】
Ｒａｅｍｅｒに記載されたコンピュータ化されたシステムは、過換気及び再呼吸の欠点とされているものを克服するように設計されていた。Ｒａｅｍａｒのシステムでは、全身麻酔の解除中に、外部供給源からＣＯ2を呼吸回路内に、したがって個体の肺に注入して（すなわち、個体はＣＯ2を再呼吸しない）、麻酔解除、すなわち全身麻酔からの患者の回復の速度を高める。外部供給源からのＣＯ2注入に関するＲａｅｍｅｒの教示は、個体脳内に麻酔薬が再導入されることを回避しながら、患者の脳による自発呼吸の再開が促進されるレベルまで個体のＰaＣＯ2をできるだけ早く高めることのみに限定されている。Ｒａｅｍｅｒで教示される技術及びシステムは個体の呼吸数又は呼吸気量を増加させることを含まないため、個体が麻酔から回復する速度を加速しない。
【特許文献１】米国特許第５４７１９７９号明細書
【特許文献２】米国特許第５０９４２３５号明細書
【特許文献３】米国特許第５３２００９３号明細書
【発明の開示】
【発明が解決しようとする課題】
【００１４】
したがって、脳内の麻酔薬レベルを下げてその作用を解除するための所要時間を最小限に抑えるために、血液によって麻酔薬が脳から運搬される速度、及び肺によって麻酔薬が体外に放出される速度を上げる方法及び装置が必要とされている。
【課題を解決するための手段】
【００１５】
本発明は、個体が全身麻酔から回復する速度を高める、又は麻酔薬の作用を解除するための方法及び装置を含む。こうした方法及び装置は、個体の脳内を血液が流れる速度を維持又は増加させ、個体の呼吸率及び呼吸量を増加させ、以前に吐き出された麻酔薬を個体が再呼吸するのを防ぐ。
【００１６】
本発明による方法は、ＣＯ2の割合が高められたガスを少なくとも定期的に個体に吸い込ませながら、個体の呼吸数又は個体によって吸入されるガスの体積を増加させることを含み、これはベンチレータ（人工呼吸器）又はレスピレータ（人工呼吸器）によって実施することができる。これは、個体がすでに吐き出したガスの少なくとも一部を個体に再呼吸させることによって、又は個体によって吸い込まれるガス中のＣＯ2の量を増加させることによって実施することができる。再呼吸されたガスを濾過して、以前に吐き出された１種又は複数の麻酔薬を少なくとも部分的にそこから除去する。一般に、吐き出されたガスを再呼吸する前に実質的にすべての麻酔薬がそこから除去されることが好ましい。
【００１７】
本発明の教示を組み込んだ装置は、個体の血液中のＣＯ2レベルを維持するとともに、個体が速い速度で（すなわち正常より速く）呼吸するのを促進し、それによって、個体の脳内へと、及び脳内を血液が流れる速さを少なくとも維持するように構成される。このような装置は、個体によって吐き出されたガスから麻酔薬を選択的に除去するための濾過部と、本明細書では「再呼吸要素」と呼ばれる、個体による部分的な再呼吸を実施するように構成された構成部品、又は個体によって吸入されるＣＯ2のレベルを高めるように構成された別の構成部品とを備える。この装置の再呼吸用構成部品又はＣＯ2レベルを上昇させるその他の構成部品は、個体の血液中のＣＯ2レベル（すなわちＰaＣＯ2）を正常に維持し、又は高めながら、個体の呼吸数の増加を促進する。この再呼吸用構成部品又はＣＯ2レベルを上昇させるその他の構成部品はさらに、レスピレータを高容量又は高速で使用して、ＣＯ2を高い又は正常なレベルに維持しながら、患者が機械的に換気されることを可能にする。
【００１８】
本発明のその他の特徴及び利点は、以下の説明、添付の図面、及び添付の特許請求の範囲を考慮することにより、当分野の技術者には明らかになるであろう。
図面には、本発明の例示的な実施形態の様々な面を示す。
【発明を実施するための最良の形態】
【００１９】
図１を参照すると、本発明による麻酔解除システム１０は、呼吸回路５０の一部分に沿って個体ＩとＹ字状接続具６０との間に配置することができ、濾過部２０及び再呼吸用構成部品３０を備える。吸気肢部５２及び呼気肢部５４をＹ字状接続具６０に、したがって呼吸回路５０に連結することができる。特に、吸気及び呼気肢部が同軸になっている呼吸回路もある。それにもかかわらず、そのような呼吸回路の吸気ホースと呼気ホースとの間の接合部は「Ｙ字状接続具」と呼ばれる。
【００２０】
図示のとおり、濾過部２０は、マスク又はマウスピースを通して呼吸するとき、吐き出された麻酔薬が麻酔解除システム１０の他の部分に流入する前にそれを除去するように、挿管された患者の気管内挿入管の付近に、あるいは個体Ｉの口及び／又は鼻を覆って配置される。ここで、この麻酔薬は、別のやり方で、吸入された麻酔薬を除去するための麻酔解除システムの表面によって吸着され、その後に個体によって吸入される。もちろん、濾過部２０が個体Ｉと再呼吸用構成部品３０との間に配置される限り、濾過部２０を麻酔解除システム１０の他の位置に配置することも本発明の範囲に含まれる。
【００２１】
濾過部２０は、図示の例では濾過部２０の両側にある（個体Ｉに対して）近位ポート２４及び遠位ポート２６を有する、ハウジング２２を備える。さらに近位ポート２４及び遠位ポート２６の両方と連通する麻酔濾過部材２８が、ハウジング２２内に収容される。
【００２２】
近位ポート２４及び遠位ポート２６はいずれも、標準的な呼吸回路の取付部品と連結できるように構成される。例えば、近位ポート２４及び遠位ポート２６は、１５ｍｍ又は２２ｍｍの標準呼吸装置用取付部品と連結するように構成できる。したがって、全身麻酔又はその他の吸入された麻酔の解除が望まれるとき、すでに個体Ｉの気道（すなわち口又は鼻、気管及び肺）と連通している呼吸回路５０中に濾過部２０を配置することができる。
【００２３】
麻酔濾過部材２８は、１種又は複数の麻酔薬を選択的に吸着することが知られているいかなる濾過部でもよい。本発明の範囲を限定するためではなく例として挙げると、麻酔濾過部材２８は、活性炭又は活性炭素、フィルタ、結晶性シリカ分子ふるい、脂質ベースの吸収剤（例えばこれは、ここでその全体を参照することによって本明細書に組み込むＬｏｕｇｈｌｉｎらの米国特許第４，８７８，３８８号の教示に従って機能する）、圧縮フィルタ、又は個体Ｉによって吐き出されたガスから麻酔薬蒸気を捕捉又は除去する他のいかなるタイプの濾過機構を含むこともできる。濾過部材２８が、活性炭や結晶性シリカなどの粒状材料を含む場合、この粒状材料は、多孔質部材、スクリーン（濾網）などでよい。
【００２４】
麻酔濾過部材２８は近位ポート２４及び遠位ポート２６の両方と連通しているので、個体Ｉによって吸い込まれるガスから麻酔薬を除去するとともに、個体Ｉによって吐き出されるガスからも麻酔薬を除去する。
【００２５】
任意選択として、濾過部２０はまた、３Ｍ  ＦＩＬＴＲＥＴＥ（登録商標）の濾過材又は静電性を帯びたポリプロピレン繊維のベースの濾過材など、当技術分野で公知のタイプの抗菌濾過部材２９を含むことができる。麻酔濾過部材２８と同様に、抗菌濾過部材２９は（例えば濾過部２０の近位ポート２４及び遠位ポート２６によって）呼吸回路５０と連通する。したがって、抗菌濾過部材２９は、個体Ｉによって吸い込まれ吐き出される実質的にすべてのガスを受け取り、したがって、こうしたガスからバクテリア、ウィルス、又は病原体を取り除くように配置される。もちろん、濾過部２０とは別に抗菌濾過材を備える麻酔解除システムもまた、本発明の範囲に含まれる。
【００２６】
図１に示すように、濾過部２０と再呼吸要素３０は、互いに直接連通している。以下に更なる詳細を示すように再呼吸要素３０は、濾過部２０と別々にするのではなく、実際に濾過部２０の一部とすることもできる。
【００２７】
再呼吸要素３０は、個体Ｉの血液中を特定のＣＯ2レベル（すなわちＰaＣＯ2）に維持するある体積又はある大きさのデッドスペースを提供するように構成することができる。図示の例では、再呼吸要素３０は、伸縮可能な管である区間３２を備える。この管は、個体Ｉによって再呼吸されることになる、以前に吐き出されたガスを収容するためのデッドスペースの大きさを増すために伸張し、また減らすために収縮させることができる。もちろん、その開示をここで、全体を参照することによって本明細書に組み込むＯｒｒらの米国特許第６，２２７，１９６号に記載されたもののうちの１つ（気管ガス吸送装置を除く）など他のタイプの再呼吸装置、又は公知の他のいかなるタイプの部分的再呼吸装置も、麻酔解除システム１０で再呼吸要素３０として使用することができる。
【００２８】
当技術分野で公知のように、本発明による麻酔解除システム１０に沿ったいずれかの位置（例えば個体Ｉの付近、濾過部２０と再呼吸要素３０との間、Ｙ字状接続具６０の付近など）に、呼吸流れセンサ又はそのためのガスサンプリングポート４０ａ、あるいはカプノメータ（吸気二酸化炭素濃度測定機）又はそのためのガスサンプリングポート４０ｂなど別の要素を含めることもまた本発明の範囲に含まれる。例えば、ガスサンプリングポート４０ａ、４０ｂを使用する場合、それらは、呼吸回路５０の端部に又はその全長に沿って、又はそれと連通する吸気及び呼気肢部５２、５４のところに配置されるように構成された取付部品など、（例えばガスサンプリング速度を約５０ｍｌ／分から約２５０ｍｌ／分に促進するための）従来の構成とすることができる。
【００２９】
ここで図２〜図６に移ると、本発明の教示を組み込んだ特定の麻酔解除システムの例が示されている。
図２に示す麻酔解除システムの実施形態１０’は、再呼吸導管３１’の区間を含む再呼吸用構成部品３０’を備える。再呼吸導管３１’は、濾過部２０とＹ字状接続具６０との間の２つの位置３４’及び３５’で呼吸回路５０と連通している。再呼吸導管３１’は、当技術分野で知られた方法で（例えば、波型を形成する方法によって）体積が調整可能な区間３２’を備えることができる。１つ又は複数の弁３６’、流れ制限体３７’、又はそれらの組合せを、導管３１’に流入しそこから流出するガスの流れを制御するために、呼吸回路５０又は再呼吸導管３１’に沿って配置することができる。
【００３０】
図３に示す麻酔解除システムの別の実施形態１０”は、呼吸回路５０ではなく濾過部２０”と直接連通する再呼吸用構成部品３０”を備える。図示のとおり、再呼吸用構成部品３０”は、導管３１”のループとして構成される。導管３１を通る前及び後にガスが濾過されるように、導管３１の端部３８”及び３９”の一方又は両方が、麻酔濾過部材２８の個体Ｉ（図１）に対して遠位側のある位置（例えば麻酔濾過部材２８と遠位ポート２６との間）で、濾過部２０”と連通する。再呼吸用構成部品３０’（図２）と同様に、再呼吸用構成部品３０”は、体積調整可能な区間３２”を備える。
【００３１】
図４は、麻酔解除システムのさらに別の実施形態１０”’を示す。この麻酔解除システム１０”’では、濾過部２０”’は、個体Ｉが息を吐いたときに、二酸化炭素濃度の高いガスを少なくとも部分的に収集するデッドスペース空間３０”’を提供するように構成される。図示したように、デッドスペース空間３０”’は、その内部に収集された呼気がそこに流入するとき、及び後でそこから引き出されるとき（例えば、後で個体Ｉ（図１）が息を吸うときなど）に濾過されるように、麻酔濾過部材２８の遠位側に配置される。
【００３２】
本発明の教示を組み込んだ麻酔解除システムの別の実施形態１０””を図５に示す。麻酔解除システム１０””は、図４に示し、それに関して説明した麻酔解除システム１０”’と極めて類似している。麻酔解除システム１０””と麻酔解除システム１０”’の主な相違点は、例えば本体２２””が占める空間の大きさを（例えば、図示した摺動運動により、又は当分野の技術者には容易に明らかになるそれ以外の方法で）拡大又は縮小することにより、麻酔解除システム１０””の、少なくとも部分的に濾過部２０””の本体２２””によって画定されるデッドスペース空間３０””が調整可能であることである。
【００３３】
図６Ａ及び図６Ｂに示す別の代替実施形態である本発明の麻酔解除システム１０””’は、吸気肢部５２””’と呼気肢部５４””’との間に配置された、選択的に寸法設定されたデッドスペースを回路内に設けるための１つ又は複数のシャントライン（迂回路）５６””’を備える。本実施形態では、吸気肢部５２””’及び呼気肢部５４””’は、デッドスペースの一部として働く。二方シャント弁５８””’が、吸気及び呼気の流れの方向を選択的に決めるために、各シャントライン５６””’に沿って配置される。
【００３４】
正常呼吸又は基底（baseline)呼吸中は、図６Ａに示すように二方シャント弁５８””’が閉位置にあり、斜線部分で示す吐き出されたガスが呼気肢部５４””’に流入する。
再呼吸を促進するために、図６Ｂに示すように、二方シャント弁５８””’が開かれて、すべてデッドスペースとして働く、吸気肢部５２””’の一部分、呼気肢部５４””’のほぼ全体、及びシャントライン５６””’を、吐き出された息が満たすことが可能になる。
【００３５】
吸気肢部５２””’、呼気肢部５４””’、及びシャントライン５６””’のうち１つまた複数の一部分又は全体に伸縮可能な導管を使用することによって、このデッドスペースを調整可能に伸縮させることができる。
【００３６】
図７及び図８を見ると、本発明の麻酔解除システム１０を様々な麻酔送出システムと併せて使用する例が示されている。
図７に、循環式回路７０を示す。循環式回路７０は、（例えば円又はループの形状に）相互連結された吸気肢部５２’及び呼気肢部５４’を備える。吸気肢部５２’及び呼気肢部５４’は、呼吸回路５０’に連結されたＹ字状接続具６０に連結される。呼吸回路５０’は、（例えば挿管、マスク、鼻カニューレによるなど）公知のやり方で個体Ｉ（図１）と連結されるように構成される。循環式回路はまた、Ｙ字状接続具６０の両側の吸気肢部５２’と呼気肢部５４’の端部にそれぞれ配置された、少なくとも２つの一方弁７２及び７４を備える。一方弁７２及び７４は、呼気が吸気肢部５２’に直接流入しないように循環式回路７０を通るガスの流れを一方向に制限して、個体Ｉが呼気肢部５４’から直接ガスを吸い込むことを防止する。
【００３７】
循環式回路７０の吸気肢部５２’は、麻酔送達システム３００、機械式換気装置又は呼吸袋との連結を促進するポートなどのガス流入口７５、あるいは循環式回路７０の外部環境（例えば手術室、患者の病室など）からの空気をシステム内部に流入させるガス流入口７５を、少なくとも１つ備える。公知のタイプの呼気逃し弁など呼気要素７６が、循環式回路７０の呼気肢部５４’に沿って配置される。
【００３８】
図示のとおり、呼気肢部５４’と吸気肢部５２’は、Ｙ字状接続具６０及び個体Ｉに対して遠位側のある位置でソーダライム缶などの二酸化炭素除去要素７７によって結合される。一方弁７２は呼気が吸気肢部５２’に流入するのを防ぐので、呼気は呼気肢部５４’を通って、呼気肢部５４’に沿って配置されるバイパス弁７８の位置に応じて、場合によっては二酸化炭素除去要素７７内へと流され、そこで、こうしたガス中に存在する二酸化炭素量が低減される。
【００３９】
さらに、循環式回路７０は、麻酔解除システム１０を備える。図示のとおり、麻酔解除システムは、バイパス弁７８によって循環式回路７０の呼気肢部５４’と選択的に連通し、二酸化炭素除去要素７７と並列に配置される。循環式回路７０内に設けることができるデッドスペースの体積は、呼気要素７６が呼気を呼気肢部５４’内に残留させるか否か、ならびにバイパス弁７８が呼気を二酸化炭素除去要素７７に迂回させるように配置されるか否かによって変わる。さらに、機械式換気装置がガス流入口７５に連結される場合、循環式回路７０内のデッドスペースの体積、ガス流入口７５が麻酔解除システム１０と吸気肢部５２’との接合部８０にどれだけ近接しているかによって変わる。
【００４０】
呼気要素７６が少なくとも部分的に閉じている場合は、個体Ｉによって吐き出され呼気肢部５４’を流れるガスの少なくとも一部を、バイパス弁７８の位置に応じて二酸化炭素除去装置７７から麻酔解除システム１０へと方向転換させることができる。バイパス弁７８を３つ以上の位置に調整できる場合、麻酔解除システム１０と二酸化炭素除去装置７７との両方に呼気を流すことができる。したがって、麻酔解除システム１０及び二酸化炭素除去要素７７内へと流される呼気の量を慎重に調節することによって、個体Ｉが再呼吸する二酸化炭素の量を制御することが可能になる。さらに、バイパス弁７８が以前に吐き出されたガスを麻酔解除システム１０内に流すように配置される場合は、麻酔解除システム１０内を流れるガス中に残留する二酸化炭素の量が相対的に多くなるが、そのようなガス中に存在する麻酔の量は濾過部２０によって低減される。
【００４１】
その場合、個体Ｉが吸息する又は吸息させられるとき、吸い込まれるガス（すなわち呼吸回路５０’及び麻酔解除システム１０内の残留ガス）の少なくとも一部は、以前に吐き出されたＣＯ2濃度の高いガスとなる。
【００４２】
循環式回路７０はそれ自体デッドスペースとして働くことができ、個体Ｉはそこから以前に吐き出した二酸化炭素濃度の高いガスを再呼吸させられるので、循環式回路７０内で使用される麻酔解除システム１０は再呼吸要素３０など追加のデッドスペースを備えないことがある。
【００４３】
次に図８を参照すると、本発明の教示を組み込んだベイン回路９０が示されている。ベイン回路９０は、直線状の呼吸回路５０”と、呼吸回路５０”の端部５１”に配置された患者用インターフェース９２と、公知のタイプの麻酔送達システム３００、機械式換気装置、呼吸袋、又はベイン回路９０の外部の環境と連通するように構成された新鮮なガス流入口９４とを、呼吸回路５０”の全長に沿って備える。さらにベイン回路９０は、呼吸回路５０”と連通する麻酔解除システム１０を備える。麻酔の作用が解除されていくとき、呼気から除去される麻酔の量を最適にし、個体Ｉが再呼吸する麻酔薬の量を最小限に抑えるために、麻酔解除システム１０は好ましくは患者用インターフェース９２に近接して配置される。
【００４４】
個体Ｉが麻酔状態から回復するときにそこから再呼吸するデッドスペース空間を提供するのに有用な様々なシステムを図２から図８に示したが、個体への麻酔作用を解除する目的で機械式呼吸回路内の二酸化炭素の再呼吸を誘発するその他の方法、装置、又はシステムもまた本発明の範囲に含まれる。
【００４５】
次に図９を見ると、再呼吸用構成部品ではなく二酸化炭素注入要素１３０を備える麻酔解除システム１１０が示されている。図示のとおり、二酸化炭素注入要素１３０は、呼吸導管１５０と連通する。麻酔解除システム１１０の濾過部１２０もまた、個体Ｉが吐き出したガス中の麻酔の量を低減させ、したがって、呼吸導管１５０から引き出され個体Ｉによって再呼吸されるガス中に残留する麻酔の量を最小限に抑えるために、呼吸導管１５０に沿って個体Ｉ（図１）に近接して配置される。
【００４６】
再び図１を参照すると（図９に示しそれを参照して説明した麻酔解除システム１１０も同じように使用することができるが）麻酔解除システム１０を、呼吸回路又は麻酔送達回路（例えば図７及び図８に示したものなど）と連通させて配置して使用することができる。一般には、濾過部２０を個体Ｉに近接して配置し、再呼吸要素３０をＹ字状接続具６０の付近に配置することが好ましい。麻酔解除システム１１０（図９）の場合は、濾過部１２０に対する二酸化炭素注入要素１３０の位置が不適切である。
【００４７】
再呼吸を促進するための所望の体積のデッドスペースがもたらされるように、デッドスペース体積（例えば、再呼吸要素３０内の空間という形の）は麻酔医によって調整されることができる。例えば、デッドスペース空間が少なくとも部分的に波型管内に配置されると、この波型管の長さを拡張及び収縮させることによってデッドスペースの体積を調整することができる。別の例として、デッドスペースの体積が固定されている場合、又は体積調整可能なデッドスペースの場合でも、二酸化炭素が除去された再循環ガスを含めて「新鮮な」ガスの流れを調整することにより、デッドスペース内の二酸化炭素量を調節することができる。「新鮮な」ガスの流れが個体Ｉの呼吸の流れより弱い場合、デッドスペース内にあるガスの再呼吸が行われることがある。
【００４８】
麻酔解除システム１０を呼吸回路又は麻酔送達システムと連通させて配置すると、個体Ｉによって吐き出されたガスが、吐き出されたガスから麻酔薬の少なくとも一部を除去する濾過部２０内を通過する。吐き出され濾過されたガスの体積のうち少なくとも一部が、デッドスペース（例えば再呼吸要素３０）に入り、一時的にそこにとどまる。また、個体Ｉによって吐き出されたガス中の麻酔薬レベルを低減させることにより、濾過部２０は、個体Ｉが息を吐き出したときに環境中（例えば、手術室、回復室、外気など）に漏れ出す麻酔薬のレベルを効率的に低減させることができる。
【００４９】
個体Ｉが吸息するとき、吸気の少なくとも一部分は、空気又はベンチレータと連通する吸気ガスの供給源から引き出されるその他のガスがある場合はそれとともに、デッドスペースから（例えば再呼吸要素３０から）引き出される。吸気は呼吸回路から引き出されると、濾過部２０内部を通過し、そこでその中の麻酔薬が少なくとも一部が除去される。明らかに、ほとんどの麻酔システムでは、非常に高濃度の酸素（＞９０％）が使用される。したがって、個体Ｉは、酸素の供給を十分に受けながら、同じガスを何度も再呼吸することができる。
【００５０】
一般に、吸入された麻酔の作用を解除する際に、部分的再呼吸プロセス（すなわち、患者によって吸入されるガスの一部分のみが以前に吐き出されたもので、残りの部分は「新鮮」である）を使用することが好ましい。なぜなら、個体Ｉは麻酔解除中に酸素を必要とするからである。もちろん、全体的な再呼吸プロセスも本発明の範囲に含まれる。個体Ｉに十分な酸素を供給しながら所望の作用をもたらすために、再呼吸を行う方法を変える又は制御することができる。
【００５１】
もちろん、二酸化炭素又は酸素を測定するガスセンサ／モニタ２１０（例えば公知のタイプの麻酔ガスモニタ）を使用して、個体Ｉの呼吸ガスをモニタすることができる。また、呼吸流れセンサ／モニタ２１２を使用して、個体Ｉの呼吸の流れをモニタすることができる。ガスセンサ／モニタ２１０ならびに流れセンサ／モニタ２１２と連通する、処理要素２２０（例えばコンピュータの処理装置又は制御装置や、論理回路の小さなグループなど）によって、当技術分野で公知のようにガスの濃度を測定することができる。二酸化炭素レベル又は酸素レベル（例えば血液ガス含有量、呼吸気中の分率など）が望ましくないレベルに達した場合、デッドスペース空間（例えば再呼吸要素３０内部）又は再呼吸されるガスの体積、及び吐き出されたその他のガス中の酸素又は二酸化炭素の濃度、あるいはそれらの任意の組合せを調整することができる。当然ながら適切なプログラムの制御下で動作し、麻酔解除システム１０のベンチレータ、弁（例えばバイパス弁７８（図７））の１つ又は複数と接続する処理要素２２０などによって、こうした調整を自動的に行うことができる。あるいは、処理要素によって提供される指令に従ってなど半自動的に、又は手動でデッドスペースの調整を実施することもできる。
【００５２】
本発明の麻酔解除装置で、濾過部２０と、個体Ｉによって吸い込まれる二酸化炭素の量を増加させるための要素（例えば再呼吸要素３０又は二酸化炭素注入要素１３０）とを組み合わせることによって、血流レベルを維持し又は高める正常ないし高レベルのＰaＣＯ2を維持し、したがって麻酔薬が脳から除去される速さを維持しながら、個体Ｉの換気を増加することができる。というのも、換気の増大によって、血液から麻酔薬が除去される速さ、したがって個体Ｉによって麻酔薬が排出される速さが向上するからである。
【００５３】
本明細書に記載された説明の大部分は全身麻酔の解除に焦点を当てているが、本発明の装置及び方法は、吸入された麻酔薬が全身麻酔作用を有するか否かにかかわらず、いかなるタイプの吸入された麻酔の作用を解除するのにも有用であることを理解されたい。
【００５４】
以上の説明は多くの具体的な事項を含むが、それらは本発明の範囲を制限するものと解釈されるべきではなく、いくつかの本発明の好ましい実施形態を説明するものにすぎない。同様に、本発明の精神又は範囲を逸脱しない本発明の他の実施形態を案出することができる。異なる別々の実施形態の特徴を組み合わせて使用することができる。したがって、本発明の範囲は、上記説明によってではなく、添付の特許請求の範囲又はその法的均等物によってのみ限定される。本明細書に記載した本発明に対する追加、削除、及び修正はすべて、特許請求の範囲に包含される趣旨及び範囲内に含まれる。
【図面の簡単な説明】
【００５５】
【図１】呼吸回路の少なくとも一部分と、麻酔状態から回復中の患者が吸い込む二酸化炭素の濃度を上げるための要素と、呼吸回路に沿って配置された麻酔濾過部及びＹ字状接続具とを備える本発明による麻酔薬解除システムの例を示す概略図である。
【図２】呼吸回路に沿って配置された麻酔濾過部とＹ字状部品との間に呼吸回路に沿って配置された再呼吸管を備える、図１に示す麻酔解除システムの例示的な実施形態を示す概略図である。
【図３】再呼吸管が麻酔濾過部から出てそこに戻る、図１の麻酔解除システムの例示的な別の実施形態を示す断面図である。
【図４】麻酔濾過部が、再呼吸を実施できるように構成された追加のデッドスペース空間を備える、本発明による麻酔解除システムの別の実施形態を示す断面図である。
【図５】麻酔濾過部が、再呼吸を実施するための体積調節可能なデッドスペースを備える、本発明の教示を組み込んだ麻酔解除システムのさらに別の実施形態を示す断面図である。
【図６Ａ】Ｙ字状接続具から分岐した吸気肢部と呼気肢部との間に１つ又は複数の導管及び弁が配置された、本発明の麻酔解除システムのさらに別の実施形態を示す概略図である。
【図６Ｂ】Ｙ字状接続具から分岐した吸気肢部と呼気肢部との間に１つ又は複数の導管及び弁が配置された、本発明の麻酔解除システムのさらに別の実施形態を示す概略図である。
【図７】従来の循環式回路に沿った本発明による麻酔解除システムの使用を示す概略図である。
【図８】本発明の麻酔解除システムを従来のベイン回路と共に使用する状態を示す概略図である。
【図９】患者によって吸い込まれる二酸化炭素の濃度を上げる要素が二酸化炭素注入器を備える、図１に示すタイプの麻酔解除システムのさらに別の実施形態を示す概略図である。
【図１】
2007521054.tif 000003
【図２】
2007521054.tif 000004
【図３】
2007521054.tif 000005
【図４】
2007521054.tif 000006
【図５】
2007521054.tif 000007
【図７】
2007521054.tif 000008
【図８】
2007521054.tif 000009
【図９】
2007521054.tif 000010
【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
吸入された麻酔からの患者の覚醒を促進する装置において、
前記患者の肺から脳内へと流れる血液中の麻酔薬濃度を低減させる手段と、
前記患者の脳内の血流を増加させる手段と、
以前に吐き出された麻酔薬を前記患者が吸入するのを防ぐ手段とを備えることを特徴とする装置。
【請求項２】
前記血流を増加させる手段が、前記患者によって吸入される二酸化炭素の量を制御する手段を含む、請求項１に記載の装置。
【請求項３】
吸入された麻酔からの患者の覚醒を促進する装置において、
前記患者の換気（ベンチレーション）を増加させる手段と、
前記患者に少なくとも大気中の二酸化炭素の量を含むガスを吸入させる手段と、
以前に吐き出された麻酔薬を前記患者が吸入するのを防ぐ手段とを備えることを特徴とする装置。
【請求項４】
前記吸入させる手段が、前記患者によって吸入される二酸化炭素の量を制御する手段を含む、請求項３に記載の装置。
【請求項５】
前記制御する手段が、二酸化炭素濃度が固定された空気又はガス混合物を前記患者に吸入させる手段を含む、請求項２又は４に記載の装置。
【請求項６】
前記制御する手段が、正常な量を上回る二酸化炭素を含む空気又はガス混合物を前記患者に吸入させる手段を含む、請求項２又は４に記載の装置。
【請求項７】
前記制御する手段が、以前に吐き出されたガスを前記患者に再呼吸させる手段を含む、請求項６に記載の装置。
【請求項８】
前記再呼吸させる手段が、前記以前に吐き出されたガスの体積を調整する手段を含む、請求項７に記載の装置。
【請求項９】
前記調整する手段が、前記再呼吸させる手段と連通する空間から前記以前に吐き出されたガスの一部が流出することを可能にする手段を含む、請求項８に記載の装置。
【請求項１０】
前記再呼吸させる手段が、前記以前に吐き出されたガス中の二酸化炭素量を調整する手段を含む、請求項７に記載の装置。
【請求項１１】
前記調整する手段が、前記以前に吐き出されたガスの一部から二酸化炭素を除去する手段を含む、請求項１０に記載の装置。
【請求項１２】
前記調整する手段が、前記再呼吸させる手段と連通する空間内に流入する新鮮なガスの流量を制御する手段を含む、請求項８乃至１１の何れか一項に記載の装置。
【請求項１３】
前記吸入させる手段が、実質的に麻酔薬を含まない空気又はガス混合物を前記患者に吸入させる手段を含む、請求項６乃至１２の何れか一項に記載の装置。
【請求項１４】
前記防止する手段が、前記以前吐き出されたガスから麻酔薬の少なくとも一部を除去する手段を含む、請求項６乃至１３の何れか一項に記載の装置。
【請求項１５】
前記除去する手段が、前記以前に吐き出されたガスから実質的にすべての麻酔薬を除去する手段を含む、請求項１４に記載の装置。
【請求項１６】
前記除去する手段が、前記以前に吐き出されたガスを濾過する手段を備える、請求項１４又は１５に記載の装置。
【請求項１７】
前記患者が病原体を吸入することを防ぐ手段をさらに含む、請求項１乃至１６の何れか一項に記載の装置。
【請求項１８】
吸入された麻酔からの患者の覚醒を促進するシステムにおいて、
前記患者によって吐き出されたガスから麻酔剤を少なくとも部分的に除去する濾過部と、
正常量を上回るＣＯ２を含むガスを前記患者に吸入させるＣＯ２レベル上昇用構成部品とを備えることを特徴とするシステム。
【請求項１９】
前記ＣＯ２レベル上昇用構成部品が、少なくとも以前に吐き出されたガスを前記患者に吸入させるための再呼吸構成部品を備える、請求項１８に記載のシステム。
【請求項２０】
前記再呼吸構成部品が、前記濾過部を通過した、以前に吐き出されたガスの少なくとも一部を前記患者に吸入させるように構成される、請求項１９に記載のシステム。
【請求項２１】
前記再呼吸構成部品が、前記患者による部分的な再呼吸を促進するように構成される、請求項１９又は請求項２０に記載のシステム。
【請求項２２】
前記再呼吸構成部品が、前記患者による全体的な再呼吸を促進するように構成される、請求項１９又は請求項２０に記載のシステム。
【請求項２３】
前記再呼吸構成部品が、呼吸回路のＹ字状部品と前記濾過部との間に配置された、所定の長さの導管を含む、請求項１９乃至２２の何れか一項に記載のシステム。
【請求項２４】
前記長さの導管の少なくとも一部分が体積調整可能である、請求項２３に記載のシステム。
【請求項２５】
前記再呼吸構成部品が、２つの端部を備える所定の長さの導管を含み、前記２つの端部がそれぞれ前記濾過部と連通する、請求項１９乃至２２の何れか一項に記載のシステム。
【請求項２６】
前記長さの導管の少なくとも一部分が体積調整可能である、請求項２５に記載のシステム。
【請求項２７】
前記再呼吸構成部品が、前記濾過部の本体内部に、当該濾過部の濾過要素の前記患者に対して遠位側に配置されたデッドスペース空間を含む、請求項１９乃至２６の何れか一項に記載のシステム。
【請求項２８】
前記デッドスペース空間が少なくとも部分的に前記本体によって画定される、請求項２７に記載のシステム。
【請求項２９】
前記デッドスペース空間が調整されるように構成される、請求項２７又は２８に記載のシステム。
【請求項３０】
前記再呼吸構成部品が、
前記濾過部が沿って配置される呼吸回路の吸気肢部と呼気肢部との間に配置されたシャントラインと、
前記シャントラインに沿って配置され、当該シャントラインを通るガスの流れを制御するための弁とを備える、請求項２５乃至２９の何れか一項に記載のシステム。
【請求項３１】
前記再呼吸構成部品が、前記濾過部が沿って配置される呼吸システムの少なくとも一部分を含む、請求項２５乃至２９の何れか一項に記載のシステム。
【請求項３２】
吐き出されたガスの少なくとも一部を、前記再呼吸構成部品及び前記濾過部のうち少なくとも一方に対して、選択的に流入させるか又は流出させる弁をさらに備える、請求項３１に記載のシステム。
【請求項３３】
少なくとも前記濾過部が連通する、循環式回路及びベイン回路のうちの一方をさらに備える、、請求項１８乃至３２の何れか一項に記載のシステム。
【請求項３４】
吐き出されたガスの少なくとも一部を、前記循環式回路又は前記ベイン回路から前記濾過部へと選択的に流すための、あるいは前記ＣＯ２レベル上昇用構成部品と前記循環式回路又は前記ベイン回路との間を連通させるための、弁をさらに含む、請求項３３に記載のシステム。
【請求項３５】
前記再呼吸構成部品が、
取り外し可能な二酸化炭素吸着装置と、
吐き出されたガスに前記麻酔呼吸回路の二酸化炭素吸着装置を迂回させるためのバイパス導管及びそれに連結された弁と、
の少なくとも一つを有する麻酔呼吸回路を備える、請求項１８乃至３４の何れか一項に記載のシステム。
【請求項３６】
前記弁が、前記患者によって吐き出されたガスの少なくとも一部を、前記濾過部内に導入させるか、又は前記ＣＯ２レベル上昇用構成部品と前記麻酔呼吸回路とを連通させるかするように構成される、請求項３５に記載のシステム。
【請求項３７】
前記ＣＯ２レベル上昇用構成部品が、ＣＯ２注入要素を含む、請求項１８乃至３６の何れか一項に記載のシステム。
【請求項３８】
前記濾過部が、前記患者によって吐き出されたガスから麻酔を実質的に除去するように構成される、請求項１８乃至３７に記載のシステム。
【請求項３９】
前記濾過部が、周囲に漏出する麻酔のレベルを低減させるように構成される、請求項３８に記載のシステム。
【請求項４０】
前記濾過部が、前記吸入された麻酔の少なくとも一部のための吸着剤を含む、請求項１８乃至３９の何れか一項に記載のシステム。
【請求項４１】
前記濾過部が、活性炭、結晶性シリカ、脂質性吸収剤、及び圧縮物生成要素のうち少なくとも１つを含む、請求項１８乃至４０の何れか一項に記載のシステム。
【請求項４２】
前記濾過部が、前記患者によって吐き出されたガス中の二酸化炭素及び酸素のうち少なくとも一方の量を実質的に低減させない、請求項１８乃至４１の何れか一項に記載のシステム。
【請求項４３】
前記濾過部がさらに、前記患者によって吸入されるガスから病原体を除去するように構成される、請求項１８乃至４２の何れか一項に記載のシステム。
【国際調査報告】
2007521054.tif 000011
2007521054.tif 000012
2007521054.tif 000013